(57)【要約】【課題】ガスや水道や灯油などの配管に用いられるシール材であるシールテープの色を配管の仕上がり時の色あるいは美観的にそれに適切な色にし、シールテープの露出部分の色を塗る手間を軽減したり、色が塗られないシールテープの露出部分を目立たなくして配管の外観を美しくする。【解決手段】ガスや水道や灯油などの配管において、シールテープの一部は外部に露出するが、配管の仕上がりの色と同一の色や同系色あるいは美観的にそれに適切な色を予め持ったシールテープを製造し使用することによりシールテープの露出部分が目立たなくなり、配管の外観が美しくなる。具体的には、シールテープの製造時に所望の色の色素などをシールテープの原料に混入するか、またはシールテープの両面あるいは片面に所望の色を塗っておく。【選択図】図１
2004263849.tif 000002
【特許請求の範囲】
【請求項１】
配管用シールテープの製造時に、配管に色を塗る場合または配管に色を塗らない場合において配管工事終了後に想定される配管の仕上がり色と同一あるいは配管の仕上がり色と同系色あるいは配管の仕上がり色と比較して目立たない適切な色をシールテープに持たせるための任意の色素などをシールテープの原料に混入したり、片面あるいは両面に配管工事終了後に想定される配管の仕上がり色と同一あるいは配管の仕上がり色と同系色あるいは配管の仕上がり色と比較して目立たない適切な色を塗ることを特徴とする配管の仕上がり色に適した色を持つ配管用シールテープ。
【請求項２】
配管用シールテープの製造時に、配管に色を塗る場合または配管に色を塗らない場合において配管工事終了後に想定される配管の仕上がり色と異なり目立つ色をシールテープに持たせるための任意の色素などをシールテープの原料に混入したり、片面あるいは両面に配管工事終了後に想定される配管の仕上がり色と異なり目立つ色を塗ることを特徴とする配管の仕上がり色に適した色を持つ配管用シールテープ。
【発明の詳細な説明】
【０００１】
【発明の属する技術分野】
この発明は、ガスや水道や灯油などの配管において雄ネジと雌ネジの接続部などのシール材として用いられている配管用シールテープの色に関するものである。
【０００２】
【従来の技術】
従来より、ガスや水道や灯油などの配管において雄ネジと雌ネジの接続部などのシール材として広くシールテープが用いられているが、そのシールテープの色は白色など特定の色に限られていた。
【０００３】
【発明が解決しようとする課題】
これは次のような欠点があった。
イ．配管に色を塗らない場合には、外部に露出したシールテープの色が配管の部材の色と異なるなどによって調和しない場合が多く、その場合に配管の外観が損なわれる。
ロ．配管に色を塗る場合には、外部に露出したシールテープの部分にも同一の色を塗らなければならず、手間を要する。
ハ．配管に色を塗る場合には、外部に露出したシールテープの一部分を塗り残してしまうことがあり、これにより配管の外観が損なわれる。
本発明は、これらの欠点を解決するために発明されたものである。
【０００４】
【課題を解決するための手段】
工事終了時に想定される配管の全体の色または部分的な色と同一の色、あるいは工事終了時に想定される配管の全体の色または部分的な色と同系色の色、あるいは工事終了時に想定される配管の全体の色または部分的な色と比較して目立たない適切な色、あるいは工事終了時に想定される配管の全体の色または部分的な色と美観的に適切な色を持つシールテープを製造し、これを工事に際して用いる。
また、シールテープの部分を目立たせるために配管の全体的な色あるいは部分的な色と故意に異なる色を持つシールテープを製造し、これを工事に際して用いることも考えられる。
【０００５】
【発明の実施の形態】
以下、本発明の実施の形態について説明する。
ガスや水道や灯油などの配管はそのままの色にしておかれたり、何らかの色を塗られたりするが、配管用シールテープの原料に配管工事終了後に想定される配管の仕上がり色と同一の色あるいは似ている色、あるいは配管工事終了後に想定される配管の仕上がり色と同系色の色、あるいは配管工事終了後に想定される配管の仕上がり色と比較して目立たない適切な色、あるいは配管工事終了後に想定される配管の仕上がり色と美観的に適切な色をシールテープに持たせるための任意の色素などを混入して配管用シールテープを製造するか、または、シールテープの製造工程においてテープ状にする前あるいはテープ状にした後に、配管工事終了後に想定される配管の仕上がり色と同一あるいは似ている色、あるいは配管工事終了後に想定される配管の仕上がり色と同系色の色、あるいは配管工事終了後に想定される配管の仕上がり色と比較して目立たない適切な色、あるいは配管工事終了後に想定される配管の仕上がり色と美観的に適切な色をシールテープとなる素材の片面あるいは両面に塗る。
本発明は以上のような構成でこれを使用するときは、配管工事終了後に想定される配管の仕上がり色と同一の色、あるいは配管工事終了後に想定される配管の仕上がり色と同系色の色、あるいは配管工事終了後に想定される配管の仕上がり色と比較して目立たない適切な色、あるいは配管工事終了後に想定される配管の仕上がり色と美観的に適切な色、あるいはシールテープの部分を目立たせるためなどの理由で配管工事終了後に想定される配管の仕上がり色と故意に異なった色、を予め持っているシールテープの面が外側あるいは外側および内側になるように配管のネジ部分などに巻きつけ、ガスや水道や灯油などの配管のシール材として用いる。
例えば、配管工事に際してガスの配管全体を銀色に塗ることが分かっている場合においては、銀色のシールテープを配管工事において銀色の面が外側に見えるように用いたりあるいは外側と内側になるように用いたり、銀色と比較して目立たないねずみ色のシールテープを配管工事においてねずみ色の面が外側ならびに内側になるように用いる。
また、水道の配管が建築物の外面に沿うように配管される場合であって、建築物の外面が赤く塗られるなどの理由で水道の配管を赤く塗る場合には、赤色のシールテープを配管工事において赤色の面が外側に見えるように用いたりあるいは外側と内側になるように用いたり、ピンクのシールテープを配管工事において用いる。
また、シールテープの部分を目立たせるなどの理由で、配管全体においてシールテープの部分を配管の全体的な色あるいは部分的な色と故意に異ならせて配管工事に用いることも考えられる。
例えば、ガスの配管が銀色に塗られる場合において、シールテープの部分はその部分を目立たせるために赤色のシールテープを赤色の面が外側に見えるように用いたり、あるいは外側と内側になるように使うなどである。
本発明のシールテープはこのようにそれぞれの配管工事において必要とされるさまざまな色を持つように、その色ごとに製造される。あるいは、複数の色を長さごとに区切って持つことも考えられる。つまり、例えば１０メートルのシールテープがあるとすると、最初の２メートルは銀色で、次の２メートルが赤色で、次の２メートルが青色で、残りの２メートルが白色であるなどである。また、複数の色の任意の模様を持つことも考えられる。たとえば、白色と銀色でストライプや格子模様をなしているなどである。
本発明のシールテープの色は上記した色に限られるものではなく、用途に合わせて銀色や赤色や青色や白色や緑色や紫色や金色やオレンジ色や黄色や黒色など各種の色をもつことが考えられる。
【０００６】
【発明の効果】
配管に色を塗らない場合でも外部に露出したシールテープの色が目立たず配管の美観を損なわない。配管に色を塗る場合においては、外部に露出したシールテープに入念に色を塗る手間が省け、たとえ塗り残しても配管の美観を損なわない。また、配管全体においてシールテープの部分を故意に目立たせることもでき、配管の接続部の特定に役立つなどの効果も期待できる。
【図面の簡単な説明】
【図１】本発明の使用状態の一形態を示す斜視図
【符号の説明】
１  本発明のシールテープの外部に露出した部分
２  ガスや水道や灯油などの配管の雄ネジ部分
３  ガスや水道や灯油などの配管の雌ネジ部分
【図１】
2004263849.tif 000003